(57)【要約】【課題】天板のコンセントに接続されたケーブルを脚部を経由させて外部へと引き出すように構成されたテーブルにおいて、外部からケーブルに引張力が加えられた場合においてもその引張力がコンセントとケーブルとの接続部に作用するのを防ぐ。【解決手段】天板１０と、天板１０を支持する脚部２０と、を備え、コンセント１２を天板１０の表面に設け、コンセント１２に電気的に接続されたケーブルＣを挿通させるための空洞２１Ｐを脚部２０の内部に設け、空洞２１Ｐに挿通させたケーブルＣを外部に引き出すための孔２１ｃを脚部２０に設けたテーブル１であって、孔２１ｃから引き出したケーブルＣに外部から引張力が加えられた場合に引張力がコンセント１２とケーブルＣとの接続部に作用するのを防ぐ引張防止機構５０を、脚部２０のうち天板１０側の端部に配置され空洞２１Ｐに連通する端部孔２１ｄと、コンセント１２と、の間に設ける。【選択図】図１８
2018102854.tif 000002
【特許請求の範囲】
【請求項１】
天板と、前記天板を支持する脚部と、を備え、前記天板の表面に、電源供給用又は情報通信用のコンセントが少なくとも一つ設けられており、前記脚部の内部に、前記コンセントに電気的に接続されたケーブルを挿通させるための空洞が設けられており、前記脚部に、前記空洞に挿通させた前記ケーブルを外部に引き出すための孔が少なくとも一つ設けられているテーブルであって、
前記孔から引き出した前記ケーブルに外部から引張力が加えられた場合に前記引張力が前記コンセントと前記ケーブルとの接続部に作用するのを防ぐように構成された引張防止機構を備え、
前記引張防止機構は、前記脚部のうち前記天板側の端部に配置され前記空洞に連通する端部孔と、前記コンセントと、の間に設けられている、テーブル。
【請求項２】
前記孔は、前記脚部のうち床面に接する接地部の周辺に設けられている、請求項１に記載のテーブル。
【請求項３】
前記引張防止機構は、前記端部孔から前記コンセントへといたる前記ケーブルを、遊びを有する状態で保持するように構成されている、請求項１又は２に記載のテーブル。
【請求項４】
前記引張防止機構は、前記端部孔を画定する部分に前記ケーブルが接触するのを防ぐ機能を有する、請求項３に記載のテーブル。
【請求項５】
前記端部孔と、前記引張防止機構と、前記引張防止機構から前記コンセントへといたる前記ケーブルと、を側面視で隠すための枠部を備える、請求項１から４の何れか一項に記載のテーブル。
【請求項６】
前記コンセントは、前記天板の表面に所定の間隔をおいて複数配置されており、
前記各コンセントには、前記ケーブルが直列に接続されている、請求項１から５の何れか一項に記載のテーブル。
【請求項７】
前記コンセントは、前記天板の表面に所定の間隔をおいて複数配置されており、
前記各コンセントには、前記ケーブルが並列に接続されている、請求項１から５の何れか一項に記載のテーブル。
【発明の詳細な説明】
【技術分野】
【０００１】
本発明は、テーブルに関する。
【背景技術】
【０００２】
従来より、比較的広い天板と、この天板を支持する脚部と、を備えるテーブルがオフィスの会議室等で使用されている。近年においては、電源供給用や情報通信用のコンセントを天板の表面に設けるとともに、空洞を脚部内に設けることにより、コンセントに接続されるケーブルを脚部内の空洞を経由させて床面側へ導く技術が提案されている（例えば、特許文献１参照）。かかる技術を採用すると、天板の表面に設けたコンセントから床面へと導かれるケーブルを脚部で隠すことができるため外観を損なうことがなく、垂れ下がったケーブルがテーブル使用者の手や足に引っ掛かることを防止することができる、とされている。
【先行技術文献】
【特許文献】
【０００３】
【特許文献１】実用新案登録公報第３０７０３６９号公報
【発明の概要】
【発明が解決しようとする課題】
【０００４】
しかし、特許文献１に記載されたような技術を採用しても、床面付近には依然としてケーブルが露出することとなり、この露出したケーブルにテーブル使用者の足が引っ掛かることによりケーブルに引張力が加えられて、コンセントからケーブルが外れてしまう可能性があった。
【０００５】
本発明は、かかる事情に鑑みてなされたものであり、天板のコンセントに接続されたケーブルを脚部を経由させて外部へと引き出すように構成されたテーブルにおいて、外部に引き出されたケーブルに引張力が加えられた場合においてもその引張力がコンセントとケーブルとの接続部に作用するのを防ぐことを目的とする。
【課題を解決するための手段】
【０００６】
前記目的を達成するため、本発明に係るテーブルは、天板と、天板を支持する脚部と、を備え、天板の表面に、電源供給用又は情報通信用のコンセントが少なくとも一つ設けられており、脚部の内部に、コンセントに電気的に接続されたケーブルを挿通させるための空洞が設けられており、脚部に、空洞に挿通させたケーブルを外部に引き出すための孔が少なくとも一つ設けられているテーブルであって、孔から引き出したケーブルに外部から引張力が加えられた場合に引張力がコンセントとケーブルとの接続部に作用するのを防ぐように構成された引張防止機構を備え、引張防止機構は、脚部のうち天板側の端部に配置され空洞に連通する端部孔と、コンセントと、の間に設けられているものである。
【０００７】
かかる構成を採用すると、脚部に設けられた孔から引き出したケーブルに外部から引張力が加えられた場合においても、その引張力がコンセントとケーブルとの接続部に作用するのを防ぐことができる。
【０００８】
本発明に係るテーブルにおいて、脚部のうち床面に接する接地部の周辺に孔を設けることができる。
【０００９】
かかる構成を採用すると、ケーブルを外部に引き出すための孔が脚部の接地部（床面に接する部分）の周辺に設けられているため、接地部の近くに配置された外部電源（コンセント）に、孔から引き出したケーブルを容易に接続することができる。
【００１０】
本発明に係るテーブルにおいて、脚部の端部孔からコンセントへといたるケーブルを、遊びを有する状態で保持するように構成した引張防止機構を採用することができる。
【００１１】
かかる構成を採用すると、脚部の端部孔からコンセントへといたるケーブルを、遊びを有する状態で保持することができる。従って、脚部の端部孔からコンセントへといたるケーブルに天板と反対側から引張力が加えられた場合においても、その引張力を遊びの部分で吸収することができる。
【００１２】
本発明に係るテーブルにおいて、引張防止機構は、脚部の端部孔を画定する部分にケーブルが接触するのを防ぐ機能を有することができる。
【００１３】
かかる構成を採用すると、脚部の端部孔（天板側に配置される端部に設けられた孔）を画定する部分にケーブルが接触するのを防ぐことができるので、ケーブルの損傷を防ぐことができる。
【００１４】
本発明に係るテーブルにおいて、脚部の端部孔と、引張防止機構と、引張防止機構からコンセントへといたるケーブルと、を側面視で隠すための枠部を備えることができる。
【００１５】
かかる構成を採用すると、枠部によって、脚部の端部孔と、引張防止機構と、引張防止機構からコンセントへといたるケーブルと、を側面視で隠すことができる。また、脚部の端部孔から床面付近へといたるケーブルを、脚部によって隠すことができる。従って、コンセントから床面付近へといたるまでケーブルが露出しないため、テーブルの意匠性を向上させることができる。
【００１６】
本発明に係るテーブルにおいて、コンセントを、天板の表面に所定の間隔をおいて複数配置し、各コンセントに、ケーブルを直列に接続することができる。
【００１７】
かかる構成を採用すると、複数のコンセントにケーブルが直列に接続されているため、ケーブルの総延長を比較的短くすることができる。
【００１８】
本発明に係るテーブルにおいて、コンセントを、天板の表面に所定の間隔をおいて複数配置し、各コンセントに、ケーブルを並列に接続することができる。
【００１９】
かかる構成を採用すると、複数のコンセントにケーブルが並列に接続されているため、あるコンセントに接続されたケーブルに異常がある場合においても、接続されたケーブルに異常がない他のコンセントへの電源供給や情報通信を継続させることができる。
【発明の効果】
【００２０】
本発明によれば、天板のコンセントに接続されたケーブルを脚部を経由させて外部へと引き出すように構成されたテーブルにおいて、外部に引き出されたケーブルに引張力が加えられた場合においてもその引張力がコンセントとケーブルとの接続部に作用するのを防ぐことが可能となる。
【図面の簡単な説明】
【００２１】
【図１】本発明の実施形態に係るテーブルの平面図である。
【図２】本発明の実施形態に係るテーブルの正面図である。
【図３】本発明の実施形態に係るテーブルの側面図である。
【図４】本発明の実施形態に係るテーブルの底面図である。
【図５】本発明の実施形態に係るテーブルの脚部の部分平面図である。
【図６】本発明の実施形態に係るテーブルの脚部の部分正面図である。
【図７】本発明の実施形態に係るテーブルの脚部の側面図である。
【図８】本発明の実施形態に係るテーブルの脚部材取付部を構成する下方部材の平面図である。
【図９】図８に示す下方部材の正面図である。
【図１０】図８に示す下方部材の側面図である。
【図１１】本発明の実施形態に係るテーブルの脚部材取付部を構成する上方部材の平面図である。
【図１２】図１１に示す上方部材の正面図である。
【図１３】図１１に示す上方部材の側面図である。
【図１４】本発明の実施形態に係るテーブルの脚部材取付部の平面図である。
【図１５】図１４に示す脚部材取付部の正面図である。
【図１６】図１４に示す脚部材取付部の側面図である。
【図１７】本発明の実施形態に係るテーブルの引張防止機構の平面図である。
【図１８】本発明の実施形態に係るテーブルの引張防止機構の斜視図である。
【図１９】本発明の実施形態に係るテーブルの枠部材の平面図である。
【図２０】図１９に示す枠部材の端面図である。
【図２１】本発明の実施形態に係るテーブルの位置決め部材の平面図である。
【図２２】図２１に示す位置決め部材の側面図である。
【図２３】図２１に示す位置決め部材の断面図である。
【図２４】本発明の実施形態に係るテーブルの枠部材が位置決め部材に当接している状態を説明するための説明図である。
【図２５】本発明の実施形態に係るテーブルの第一カバー部材の平面図である。
【図２６】図２５に示す第一カバー部材の側面図である。
【図２７】本発明の実施形態に係るテーブルの第二カバー部材の平面図である。
【図２８】図２７に示す第二カバー部材の側面図である。
【発明を実施するための形態】
【００２２】
以下、図面を参照して、本発明の実施形態について説明する。なお、以下の実施形態はあくまでも好適な適用例であって、本発明の適用範囲がこれに限定されるものではない。
【００２３】
まず、本発明の実施形態に係るテーブル１の構成について説明する。本実施形態に係るテーブル１は、図１〜図４に示すように、天板１０と、天板１０を支持する脚部２０と、天板１０と脚部２０との接続部分の外側に設けられて接続部分を側面視で隠すための枠部３０と、を備えている。
【００２４】
天板１０は、図１及び図４に示すように、平面視で略矩形状を呈する板状部材である。天板１０のサイズは、仕様によって適宜設定することができる。例えば、天板１０の長さ方向の寸法を１８００〜３２００ｍｍ程度、幅方向の寸法を９００〜１２００ｍｍ程度、厚さを１５〜２０ｍｍ程度に設定することができる。天板１０の材料としては、合成樹脂、金属、リノリウム、木材等を採用することができる。
【００２５】
天板１０の表面１１には、図１に示すように、電源供給用のコンセント１２が所定の間隔で複数配置されており、これらコンセント１２を介して各種端末機器に電源を供給することができるようになっている。各コンセント１２には、図１〜図３等に示すように、天板１０の裏面１３側から電源供給用のケーブルＣが接続されている。本実施形態においては、各コンセント１２に接続されるケーブルＣが直列に配線されており、これにより、ケーブルＣの総延長を比較的短くすることができる。
【００２６】
また、天板１０の裏面１３には、図４に示すように、４つの枠部材３１（後述）が天板１０の各辺に対応するように配置された状態で固定されており、全体として平面視ロ字状を呈する枠部３０が形成されている。枠部３０の内部に形成される凹部１４には、脚部２０が配置されて取り付けられる。
【００２７】
脚部２０は、図２〜図７に示すように、管状の部材を折曲して形成した左右一対の脚部材２１と、各脚部材２１の上端部に固定される左右一対の脚部材取付部２２と、各脚部材取付部２２に形成された凹部２２ｃに嵌め込まれて固定されることにより、一対の脚部材取付部２２間に架け渡される角柱部材２３と、を有している。脚部材２１、脚部材取付部２２及び角柱部材２３は、金属や合成樹脂等の材料で構成することができる。
【００２８】
脚部材２１は、図５及び図６に示すように、床面と接触する接地部２１ａと、接地部２１ａから上方（天板１０側）に立ち上がる一対の立上部２１ｂと、を有している。一対の立上部２１ｂ同士の間隔は、接地部２１ａ側から上方（天板１０側）になるに従って漸次狭くなるようにされており、最上部付近においては相互に略平行とされている。脚部材２１の内部には、コンセント１２に電気的に接続されるケーブルＣを挿通させるための空洞（挿通路）２１Ｐが設けられており、脚部材２１の接地部２１ａには、空洞２１Ｐに挿通させたケーブルＣを外部に引き出すための孔２１ｃが設けられている。また、脚部材２１の一対の立上部２１ｂの最上部の端部には、空洞２１Ｐに連通する端部孔２１ｄが設けられている。
【００２９】
脚部材取付部２２は、下方（脚部材２１側）に配置される下方部材２２ａと、上方（天板１０側）に配置される上方部材２２ｂと、を有している。下方部材２２ａは、図８に示すように平面視略矩形状を呈する板状の部材であり、その各辺には、図９及び図１０に示すように立上片２２ａａが連接されている。また、下方部材２２ａには、脚部材２１の立上部２１ｂの最上部付近の部分を挿通させる脚部材挿通孔２２ａｂが設けられている。上方部材２２ｂは、図１１に示すように平面視略矩形状を呈する板状の部材であり、その対向する一対の辺には、図１２及び図１３に示すように立下片２２ｂａが連接されている。上方部材２２ｂには、脚部材２１の立上部２１ｂの最上部付近の部分を挿通させる脚部材挿通孔２２ｂｂと、ケーブルＣを挿通させるケーブル挿通孔２２ｂｃと、が設けられている。
【００３０】
下方部材２２ａの上方に上方部材２２ｂを配置して両者を組み合わせることにより、図１４〜図１６に示すような脚部材取付部２２が構成される。このように構成された脚部材取付部２２には、下方部材２２ａの立上片２２ａａと、上方部材２２ｂの立下片２２ｂａと、の間に凹部２２ｃが一対形成されることとなる。これら一対の凹部２２ｃには、図４〜図７に示すように、角柱部材２３が嵌め込まれて固定される。また、脚部材取付部２２には、上下に対となる脚部材挿通孔（下方部材２２ａの脚部材挿通孔２２ａｂ及び上方部材２２ｂの脚部材挿通孔２２ｂｂ）が設けられることとなり、これら上下双方の脚部材挿通孔に脚部材２１の立上部２１ｂの最上部付近の部分を挿通した上で、上下双方の脚部材挿通孔付近で脚部材２１の立上部２１ｂを溶接することにより、脚部材取付部２２に対して脚部材２１を強固に固定することができる。
【００３１】
脚部材取付部２２の上部には、図５、図１４〜図１６等に示すように、脚部２０の孔２１ｃから引き出したケーブルＣに外部から引張力が加えられた場合にこの引張力がコンセント１２とケーブルＣとの接続部に作用するのを防ぐように構成された引張防止機構５０が設けられる。
【００３２】
ここで、図１７及び図１８を用いて、引張防止機構５０の具体的な構成について説明する。
【００３３】
引張防止機構５０は、図１７及び１８に示すように、平面視長円形状を呈する皿状の部材であり、その底部には、ケーブルＣを挿通させる二つの孔（脚部側孔５１及びコンセント側孔５２）が設けられている。引張防止機構５０の外周には外壁５３が形成されており、引張防止機構５０の内部にはケーブルＣをガイドするための所定形状のガイド壁５４が形成されている。また、外壁５３及びガイド壁５４には、ケーブルＣを引張防止機構５０の内部に保持するための所定形状の突起５５が複数設けられている。
【００３４】
引張防止機構５０は、このような構成を有することにより、脚部２０の端部孔２１ｄからコンセント１２へといたるケーブルＣを、図１７及び図１８に示したように遊びをもって湾曲させた状態で保持することができるようになっている。このため、脚部２０の孔２１ｃから引き出したケーブルＣに外部から引張力が加えられた場合においても、引張防止機構５０によって保持されたケーブルＣの遊びの部分が変形することによりその引張力を吸収することができ、引張力がコンセント１２とケーブルＣとの接続部に作用するのを防ぐことができる。引張防止機構５０は、合成樹脂（例えば、ＡＢＳ樹脂、ポリアセタール樹脂等）で構成することができる。
【００３５】
また、引張防止機構５０の脚部側孔５１は、図５及び図１４に示すように、脚部２０の端部孔２１ｄの上に重ねられるように配置される。このため、ケーブルＣは、脚部２０の端部孔２１ｄを画定する部分にケーブルＣが接触するのを防ぐ機能をも有している。脚部２０が金属材料で構成された場合には、脚部２０の端部孔２１ｄを画定する部分にケーブルＣが接触するとケーブルＣが損傷する虞があるが、合成樹脂で構成された引張防止機構５０を採用することによりケーブルＣが金属部材に直接接触するのを防ぐことができ、ケーブルＣの損傷を防ぐことができる。
【００３６】
枠部３０は、図１９及び図２０に示すような枠部材３１と、天板１０の裏面１３から突出するように設けられて枠部材３１の位置決めを行うための図２１〜図２３に示すような位置決め部材３２と、を有している。枠部３０は、図２に示すように、脚部２０の端部孔２１ｄと、引張防止機構５０と、引張防止機構５０からコンセント１２へといたるケーブルＣと、を側面視で隠すようにも機能する。
【００３７】
枠部材３１は、図４に示すように、天板１０の各辺に対応するように複数（本実施形態では４つ）設けられている。本実施形態における枠部材３１は、図１９に示すように、平面視で、長辺３１Ｌと、短辺３１Ｓと、長辺３１Ｌと短辺３１Ｓとを繋ぐ側辺３１Ｍと、を有する略台形状を呈しており、長辺３１Ｌと側辺３１Ｍとのなす角度は平面視で略４５°とされている。枠部材３１は、金属、合成樹脂等の材料で構成することができる。
【００３８】
枠部材３１は、図１９及び図２０に示すように、長辺３１Ｌ及び側辺３１Ｍを有する平面視略台形状の第一板部３１ａと、第一板部３１ａに対して鋭角をなすように第一板部３１ａの長辺３１Ｌに連接された第二板部３１ｂと、第二板部３１ｂと略同一平面上に配置されるように第一板部３１ａの長辺３１Ｌに対向する辺３１Ｏに連結された第三板部３１ｃと、を有している。第二板部３１ｂの第一板部３１ａと反対側の端部３１ｄは、位置決め部材３２に当接させる部分とされる。また、第三板部３１ｃには、締結用のネジ又はボルトを挿通させるための挿通孔３１ｅが設けられている、
【００３９】
枠部材３１は、図２０に示すように、第三板部３１ｃを第一板部３１ａの長辺３１Ｌに対向する辺３１Ｏに連結させる連結部３１ｆを有している。連結部３１ｆは、第二板部３１ｂと第三板部３１ｃとを天板１０の裏面１３に接触させた状態で枠部材３１を天板１０に取り付けたときに、所定の対象物を上方から引っ掛けて吊るすための掛止部３１ｇを有している。また、このように第二板部３１ｂと第三板部３１ｃとを天板１０の裏面１３に接触させた状態で枠部材３１を天板１０に取り付けると、第一板部３１ａの表面３１ｈは、天板１０側から脚部２０側になるに従って天板１０の外縁側から中央部側へと傾斜する傾斜面となる。
【００４０】
位置決め部材３２は、各枠部材３１の長辺３１Ｌ及び短辺３１Ｓが天板１０の対応する辺に対して略平行になるように、かつ、隣接する二つの枠部材３１の側辺３１Ｍ同士を接触させるように、各枠部材３１を位置決めするものである。位置決め部材３２は、図４に示すように、天板１０の裏面１３の各辺に沿って所定の間隔をおいて複数配置されており、枠部材３１を天板１０の外縁側から中央部側へとスライドさせたときに、図２４に示すように、枠部材３１の第二板部３１ｂの端部３１ｄに当接して所定の位置で枠部材３１のスライドを止めることができるようになっている。
【００４１】
本実施形態においては、図２１〜図２３に示すように、天板１０の裏面に固定される平面視円形状の略円板状（乃至略円筒状）の部材を位置決め部材３２として採用している。位置決め部材３２には、ボルト等の締結具を挿通させる挿通孔３２ａが設けられており、この挿通孔３２ａに締結具を挿通させて位置決め部材３２を天板１０の裏面に固定することができる。位置決め部材３２は、合成樹脂（例えば、ポリアセタール樹脂等）や金属等の材料で構成することができる。位置決め部材３２の形状は、略円板（円筒）状に限られるものではなく、例えば平面視多角形状や平面視楕円形状の板状（柱状）の部材を位置決め部材として採用することもできる。
【００４２】
平面視ロ字状を呈する枠部３０の内部に形成される凹部１４には、図４に示すように脚部２０が配置され、脚部２０の脚部材取付部２２及び角柱部材２３がボルト等の締結具を介して天板１０の裏面に固定される。本実施形態においては、このような天板１０と脚部２０との接続部分を下方から遮蔽するために、カバー部材（第一カバー部材４１及び第二カバー部材４２）を採用している。
【００４３】
第一カバー部材４１は、図２５及び図２６に平面視略矩形状を呈する板状の部材であり、図４に示すように天板１０の裏面側に設けられた凹部１４の中央部を遮蔽するように機能する。第一カバー部材４１の対向する一対の辺には、枠部材３１の連結部３１ｆに設けられた掛止部３１ｇ（図２０）に引っ掛けられる鉤状部４１ａが設けられている。また、第一カバー部材４１の一辺には、脚部材２１の形状に対応する凹部４１ｂが二箇所形成されている。第一カバー部材４１の鉤状部４１ａを枠部材３１の掛止部３１ｇに引っ掛けることにより、第一カバー部材４１を枠部材３１に吊るした状態で取り付けることができる。
【００４４】
第二カバー部材４２は、図２７及び図２８に平面視略矩形状を呈する板状の部材であり、図４に示すように天板１０の裏面側に設けられた凹部１４の端部を遮蔽するように機能する。第二カバー部材４２の三辺には、枠部材３１の連結部３１ｆに設けられた掛止部３１ｇ（図２０）に引っ掛けられる鉤状部４２ａが設けられている。また、第二カバー部材４２の残り一辺には、脚部材２１の形状に対応する凹部４２ｂが二箇所形成されている。第二カバー部材４２の鉤状部４２ａを枠部材３１の掛止部３１ｇに引っ掛けることにより、第一カバー部材４２を枠部材３１に吊るした状態で取り付けることができる。
【００４５】
以上説明した実施形態に係るテーブル１においては、特定の構成を有する引張防止機構５０を採用しているため、脚部２０に設けられた孔２１ｃから引き出したケーブルＣに外部から引張力が加えられた場合においても、その引張力がコンセント１２とケーブルＣとの接続部に作用するのを防ぐことができる。
【００４６】
また、以上説明した実施形態に係るテーブル１においては、ケーブルＣを外部に引き出すための孔２１ｃが脚部２０の接地部２１ａ（床面に接する部分）の周辺に設けられているため、接地部２１ａの近くに配置された外部電源（コンセント）に、孔２１ｃから引き出したケーブルＣを容易に接続することができる。
【００４７】
また、以上説明した実施形態に係るテーブル１においては、特定の構成を有する引張防止機構５０により、脚部２０の端部孔２１ｄからコンセント１２へといたるケーブルＣを、遊びを有する状態で保持することができる。従って、脚部２０の端部孔２１ｄからコンセント１２へといたるケーブルＣに天板１０と反対側から引張力が加えられた場合においても、その引張力を遊びの部分で吸収することができる。
【００４８】
また、以上説明した実施形態に係るテーブル１においては、引張防止機構５０により、脚部２０の端部孔２１ｄを画定する部分にケーブルＣが接触するのを防ぐことができるので、ケーブルＣの損傷を防ぐことができる。
【００４９】
また、以上説明した実施形態に係るテーブル１においては、枠部３０によって、脚部２０の端部孔２１ｄと、引張防止機構５０と、引張防止機構５０からコンセント１２へといたるケーブルＣと、を側面視で隠すことができる。また、脚部２０の端部孔１２ｄから床面付近へといたるケーブルＣを、脚部２０によって隠すことができる。従って、コンセント１２から床面付近へといたるまでケーブルＣが露出しないため、テーブル１の意匠性を向上させることができる。
【００５０】
また、以上説明した実施形態に係るテーブル１においては、複数のコンセント１２にケーブルＣが直列に接続されているため、ケーブルＣの総延長を比較的短くすることができる。
【００５１】
なお、以上の実施形態においては、天板１０の表面１１に電源供給用のコンセント１２を設けた例を示したが、電源供給用のコンセント１２に代えて（又は電源供給用のコンセント１２とともに）情報通信用のモジュラーコンセントを天板１０の表面１１に設けることもできる。その場合においても、本実施形態で説明したような引張防止機構５０を採用することにより、外部からの引張力がコンセントとケーブルＣとの接続部に作用するのを防ぐことができる。
【００５２】
また、以上の実施形態においては、各コンセント１２にケーブルＣを直列に接続した例を示したが、各コンセント１２にケーブルＣを並列に接続することもできる。このようにすると、あるコンセント１２に接続されたケーブルＣに異常がある場合においても、接続されたケーブルＣに異常がない他のコンセント１２への電源供給や情報通信を継続させることができる。
【００５３】
また、以上の実施形態においては、引張防止機構として、図１７及び図１８に示すような構成を有する部材を採用した例を示したが、引張防止機構の構成はこれに限られるものではなく、脚部２０の孔２１ｃから引き出したケーブルＣに外部から引張力が加えられた場合にこの引張力がコンセント１２とケーブルＣとの接続部に作用するのを防ぐような構成であればいかなる構成を採用してもよい。
【００５４】
また、以上の実施形態においては、引張防止機構５０を脚部材取付部２２の上部に配置した例を示したが、引張防止機構５０の位置はこれに限られるものではなく、脚部２０の端部孔２１ｄとコンセント１２との間の別の箇所に配置することもできる。
【００５５】
本発明は、以上の実施形態に限定されるものではなく、この実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００５６】
１…テーブル
１０…天板
１１…表面
１２…コンセント
２０…脚部
２１ａ…接地部
２１ｃ…孔
２１ｄ…端部孔
２１Ｐ…空洞
３０…枠部
５０…引張防止機構
Ｃ…ケーブル
【図１】
2018102854.tif 000003
【図２】
2018102854.tif 000004
【図３】
2018102854.tif 000005
【図４】
2018102854.tif 000006
【図５】
2018102854.tif 000007
【図６】
2018102854.tif 000008
【図７】
2018102854.tif 000009
【図８】
2018102854.tif 000010
【図９】
2018102854.tif 000011
【図１０】
2018102854.tif 000012
【図１１】
2018102854.tif 000013
【図１２】
2018102854.tif 000014
【図１３】
2018102854.tif 000015
【図１４】
2018102854.tif 000016
【図１５】
2018102854.tif 000017
【図１６】
2018102854.tif 000018
【図１７】
2018102854.tif 000019
【図１８】
2018102854.tif 000020
【図１９】
2018102854.tif 000021
【図２０】
2018102854.tif 000022
【図２１】
2018102854.tif 000023
【図２２】
2018102854.tif 000024
【図２３】
2018102854.tif 000025
【図２４】
2018102854.tif 000026
【図２５】
2018102854.tif 000027
【図２６】
2018102854.tif 000028
【図２７】
2018102854.tif 000029
【図２８】
2018102854.tif 000030